(57)【特許請求の範囲】
【請求項１】
ブリッジ部に取り付けられて弦を支持する弦楽器用サドルにおいて、
前記ブリッジ部に取り付けられたベース部材と、このベース部材に組み合わされて各弦に対応する弦受け部材と、前記ベース部材と弦受け部材との間に設けられた弦高調整手段とを備え、
前記弦高調整手段は、弦受け部材を回転させることで当該弦受け部材を高さ調整可能に設けられ、
前記弦受け部材は、頂部と、この頂部から垂下する下部開放型の外筒部とからなり、前記頂部の裏面に圧電素子が設けられていることを特徴とする弦楽器用サドル。
【請求項２】
前記弦高調整手段は、前記ベース部材に設けられた第１のねじ部と、前記弦受け部材に形成されて第１のねじ部と螺合する第２のねじ部とにより構成されていることを特徴とする請求項１記載の弦楽器用サドル。
【請求項３】
前記弦受け部材は、その上面に弦を受容可能な溝を備えていることを特徴とする請求項１又は２記載の弦楽器用サドル。
【請求項４】
前記ベース部材及び弦受け部材は、導電性を有する金属材を用いて構成されていることを特徴とする請求項１，２又は３記載の弦楽器用サドル。
【請求項５】
ブリッジ部に取り付けられて複数の弦を支持する複数の弦楽器用サドルを備えたピックアップ装置において、
前記サドルは、前記ブリッジ部に取り付けられたベース部材と、このベース部材に組み合わされて各弦に対応する弦受け部材と、前記ベース部材と弦受け部材との間に設けられた弦高調整手段と、前記弦の振動を電気信号に変換可能な圧電素子とを備え、
前記各サドルは、隣接するサドルと所定間隔を隔てて配置されるとともに、各弦毎に対応して一つずつ設けられていることを特徴とするピックアップ装置。
【請求項６】
前記ベース部材及び弦受け部材は、導電性を有する金属材を用いて構成されていることを特徴とする請求項５記載のピックアップ装置。
【発明の詳細な説明】
【０００１】
【発明の属する技術分野】
本発明は、弦楽器用サドル及びこれを用いたピックアップ装置に係り、更に詳しくは、弦の高さ調整を行うことができ、また、各弦の振動を電気信号に変換可能に設けられたピックアップ装置に関する。
【０００２】
【従来の技術】
従来より、電気ギターやアコーステッィクギター等の電気弦楽器においては、弦を支持するサドルの振動を電気信号として取り出し可能なピックアップ装置が利用されている。この種のピックアップ装置としては、例えば、図４及び図５に示されるタイプのものが知られている。
【０００３】
図４において、ピックアップ装置５０は、図示しない電子弦楽器の表板に取り付けられる板状のブリッジ部５１と、このブリッジ部５１の溝５１Ａ内に固定される片状のサドル５２と、このサドル５２の下部に設けられる圧電素子５３とを備えて構成されている。また、図５に示されるピックアップ装置５５は、ブリッジ部５１の溝５１Ａ内に挿入されるスペーサ５６を介してサドル５２を固定するものとなっている。スペーサ５６は、長手方向両側において二つのねじ５７を介して前記表板に取り付けられる。ここで、電気弦楽器の演奏にあたって弦を振動させた場合、当該振動が弦を支持するサドル５２を伝って圧電素子５３に伝わり、この圧電素子５３により振動を電気信号に変換するようになっている。
【０００４】
【発明が解決しようとする課題】
しかしながら、前記各ピックアップ装置５０，５５にあっては、全ての弦を一つのサドル５２で支持する構成を採用しているため、圧電素子５３が全ての弦の振動を一括して電気信号に変換することとなる。これがため、サドル５２や圧電素子５３において各弦の音が干渉してしまい、電気弦楽器全体としての音色の広がりを得ることが困難になるという不都合を生じる。
【０００５】
また、前者のタイプのピックアップ装置５０にあっては、サドル５２が弦の振動によって位置ずれを生じないようにブリッジ部５１にしっかりと固定されることが不可避的に要求される。従って、前記サドル５２における弦の高さ調整を行う場合、ブリッジ部５１やサドル５２等に加工を施す作業が必要となり、当該作業が極めて煩雑になるという不都合もある。
【０００６】
更に、図５に示した後者のタイプのピックアップ装置５５にあっては、スペーサ５６が表板にねじ５７を用いて固定されていることに起因して、電気弦楽器におけるボディの鳴りが抑制され、音質劣化の原因ともなる。また、ピックアップ装置５５は、弦高調整を行うことが基本的に可能であるが、弦毎の調整を行うことができないという不都合を生じる。
【０００７】
ところで、前記各ピックアップ装置５０，５５の他に図６に示されるようなタイプのピックアップ装置６０が存在する。このピックアップ装置６０は、各弦毎に対応して分割された六つのサドル６１を備えており、各サドル６１の下端面には、圧電素子６２がそれぞれ設けられている。また、各サドル６１は、隣接するサドル６１に密着するように設けられている。
【０００８】
しかしながら、このようなサドル６１にあっては、各圧電素子６２が隣接するサドル６１の振動の影響を受けてしまい、各弦の音の干渉を回避することが困難となる。また、各圧電素子６２は、サドル６１の下端面に取り付けられているが、サドル６１と圧電素子６２との接触面積が狭いため、圧電素子６２がサドル６１から外れ易いという不都合もある。
【０００９】
【発明の目的】
本発明は、このような種々の不都合に着目して案出されたものであり、その目的は、弦同士の音の干渉を効果的に抑制することができ、また、各弦毎の高さ調整を容易に行うことができる弦楽器用サドル及びこれを用いたピックアップ装置を提供することにある。
【００１０】
【課題を解決するための手段】
前記目的を達成するため、本発明は、ブリッジ部に取り付けられて弦を支持する弦楽器用サドルにおいて、
前記ブリッジ部に取り付けられたベース部材と、このベース部材に組み合わされて各弦に対応する弦受け部材と、前記ベース部材と弦受け部材との間に設けられた弦高調整手段とを備え、
前記弦高調整手段は、弦受け部材を回転させることで当該弦受け部材を高さ調整可能に設けられ、
前記弦受け部材は、頂部と、この頂部から垂下する下部開放型の外筒部とからなり、前記頂部の裏面に圧電素子が設けられる、という構成を採っている。このような構成によれば、特別な工具等を用いたり、ブリッジ部やサドルに加工を加えたりすることなく、弦受け部材の回転操作によって弦の高さを容易に調整することができる。また、一つのサドルで全ての弦を支持せずに各弦に対応して弦受け部材を設けたので、各弦毎に独立した高さ調整を行うことも可能となる。また、弦と圧電素子とを接近させることができ、これにより、弦の振動に対する圧電素子のレスポンスを向上させることが可能となる。
【００１１】
また、本発明は、ブリッジ部に取り付けられて複数の弦を支持する複数の弦楽器用サドルを備えたピックアップ装置において、
前記サドルは、前記ブリッジ部に取り付けられたベース部材と、このベース部材に組み合わされて各弦に対応する弦受け部材と、前記ベース部材と弦受け部材との間に設けられた弦高調整手段と、前記弦の振動を電気信号に変換可能な圧電素子とを備え、
前記各サドルは、隣接するサドルと所定間隔を隔てて配置されるとともに、各弦毎に対応して一つずつ設けられる、という構成を採っている。これによれば、従来例に示されるような圧電素子における各弦の音同士の干渉を抑制することができ、各弦の振動を分離良く拾うことが可能となる。しかも、圧電素子に接続される所定のスイッチ装置等を介することにより、特定の弦の音だけを取り出すこともでき、電気弦楽器の演奏に様々なバリエーションを持たせることができる。
【００１２】
【発明の実施の形態】
本発明において、前記弦高調整手段は、前記ベース部材に設けられた第１のねじ部と、前記弦受け部材に形成されて第１のねじ部と螺合する第２のねじ部とにより構成される、という構成を採ることが好ましい。このような構成によれば、弦受け部材を回転可能とする構成の簡素化及びコンパクト化を図ることができ、各弦の間隔が比較的狭い場合であっても、弦高調整手段を採用した設計を容易に行うことが可能となる。また、ベース部材の底面をブリッジに接触させることができるので、弦の振動を効率良くブリッジに伝播させることが可能となる。
【００１４】
更に、前記弦受け部材は、その上面に弦を受容可能な溝を備える、という構成も好ましくは採用される。このような構成により、弦受け部材の上面側に位置する弦の位置規制を確実に行うことができる。
また、前記ベース部材及び弦受け部材は、導電性を有する金属材を用いて構成することが好ましい。
【００１５】
【実施例】
以下、本発明の実施例を図面を参照しながら説明する。
【００１６】
図１には、本実施例に係るピックアップ装置の概略斜視図が示され、図２には、図１のＡ−Ａ線に沿う一部拡大断面図が示されている。これらの図において、ピックアップ装置１０は、電気ギターやアコースティックギター等の電気弦楽器におけるボディを形成する表板１１（図２参照）に取り付けられるとともに、例えば、六本の弦１２の各一端側を保持可能に設けられている。このピックアップ装置１０は、表板１１上に設けられたブリッジ部１３と、このブリッジ部１３に取り付けられた六個のサドル１４とを備えて構成されている。
【００１７】
前記ブリッジ部１３は、前記表板１１に取り付けられるとともに、弦１２の延出方向に略直交する方向、すなわち表板１１に沿って弦１２を横切る方向に延びる略長辺板状のブリッジ本体１６と、このブリッジ本体１６の延出方向に沿う六箇所位置にそれぞれ設けられるとともに、各サドル１４を収容可能な段付きの穴１７とを備えて構成されている。各穴１７は、図３にも示されるように、ブリッジ本体１６の上面に連なる大径穴部１８と、この大径穴部１８に段部１９を介して連なる小径穴部２０とにより構成されている。また、各穴１７は、隣接する穴１７に対し、各弦１２の離間幅に対応して一定間隔を隔てて形成されている。なお、ブリッジ本体１６の面内における各穴１７の隣接位置には、図示しないピンが挿入される六つの穴１６Ａ（図１参照）が設けられ、前記ピンによって弦１２の一端側が保持されるようになっている。
【００１８】
前記サドル１４は、弦１２を支持するとともに、各弦１２に対応して一つずつ設けられている。各サドル１４は、図３にも示されるように、穴１７の段部１９上に取り付けられたベース部材２２と、このベース部材２２に組み合わされる弦受け部材２３と、ベース部材２２と弦受け部材２３との間に設けられた弦高調整手段２４と、弦受け部材２３の内部に設けられた圧電素子２５とを備えている。ベース部材２２及び弦受け部材２３は、真鍮や銅等の導電性を有する金属材を用いて構成され、これにより、弦１２、ベース部材２２及び弦受け部材２３をアースとすることができ、ノイズの発生を防止できるようになっている。
【００１９】
前記ベース部材２２は、段部１９上に位置するとともに、大径穴部１８の内径と略同一の外径を備えた円盤部２７と、この円盤部２７の上面に連なって上方に延び、且つ、当該円盤部２７と略同心円上に位置する第１のねじ部としての雄ねじ部２８と、円盤部２７及び雄ねじ部２８の軸中心位置に設けられた貫通穴２９とを備えて構成されている。
【００２０】
前記弦受け部材２３は、上面が略半球面状に設けられた板状をなす頂部３１と、この頂部３１外周から垂下するとともに、前記円盤部２７と略同一となる外径を備えた下部開放型の外筒部３２とを備えて構成されている。頂部３１は、その上面側に弦１２の延出方向（図２中紙面直交方向）に延びる溝３３を備えており、弦１２を張設したときに、弦１２を脱落不能に保持するようになっている。また、外筒部３２の内周面には、雄ねじ部２８と螺合する第２のねじ部としての雌ねじ部３４が設けられ、当該雌ねじ部３４と雄ねじ部２８とにより前記弦高調整手段２４が構成されている。
【００２１】
前記圧電素子２５は、弦１２の近傍位置となる頂部３１の裏面に接着され、電気弦楽器の演奏時に弦受け部材２３から伝わる弦１２の振動を電気信号に変換可能に設けられている。圧電素子２５の外周側には、外筒部３２内の空間を埋めるように設けられた充填材３６が設けられ、これにより、圧電素子２５が頂部３１の裏面にしっかりと取り付けられるようになっている。また、圧電素子２５の下面側には、当該圧電素子２５の電気信号を通電可能なシールド線３７が設けられている。このシールド線３７は、前記貫通穴２９、小径穴部２０及び表板１１の穴１１Ａを通過して図示しないスイッチ装置やアンプ装置等に接続される。これにより、スイッチ装置等を所定操作することにより、特定の弦１２だけの振動を電気信号に変換可能となる。なお、図３に示されるように、貫通穴２９内に位置するシールド線３７は、アース部分の被膜が取り除かれて貫通穴２９の内周面に接続されている。
【００２２】
以上の構成において、サドル１４上に張設された弦１２の高さ調整を行う場合、弦１２を緩めた後、溝３３の向きが弦１２の延出方向に略一致するように、弦受け部材２３を外筒部３２の周方向に回転すればよい。これにより、弦高調整手段２４のねじ構造により、弦受け部材２３が上昇又は下降し、サドル１４に支持される弦１２の高さ位置が決定されることとなる。
【００２３】
この一方、電気弦楽器を演奏すべく弦１２を振動させた場合、当該振動が頂部３１を通じて各弦１２の真下に位置する圧電素子２５により電気信号に変換される。また、これと同時に、サドル１４全体を通じてブリッジ部１３及び表板１１が振動し、電気弦楽器のボディ内で音が響き渡るようになる。
【００２４】
従って、このような実施例によれば、各サドル１４がブリッジ部１３上に所定間隔を隔てて配置されているから、各弦１２の音の干渉が極力少なくなり、各圧電素子２５において分離良く各弦１２の振動を電気信号に変換することが可能となる。また、各弦１２に対応してサドル１４を設けたので、弦１２毎に独立した高さ調整を容易に行うことができる。
【００２５】
更に、頂部３１の上面に溝３３を設けたから、溝３３の向きを弦１２の延出方向に一致させるため、弦受け部材２３を周方向１８０°毎に回転して高さ位置を調整することとなる。これにより、弦受け部材２３の高さを雄ねじ部２８及び雌ねじ部３４の約１／２ピッチ毎に高さ調整することができ、ひいては、弦１２の高さをデジタル的に調整することが可能となる。
【００２６】
なお、前記実施例における弦高調整手段２４の構成は、図示構成例に限定されるものでなく、ベース部材２２に第１のねじ部として雌ねじ部を設けるとともに、弦受け部材２３に第２のねじ部として雄ねじ部を設けてもよい。
【００２７】
また、前記ベース部材２２を段部１９に取り付けた場合を説明したが、本発明は、これに限定されるものでなく、ベース部材２２を段部１９に乗せた構成としてもよい。これにより、サドル１４全体を大径穴部１８から取り出してベース部材２２及び弦受け部材２３を相対回転させ、再び大径穴部１８内に乗せることより、弦１２の高さをアナログ的に無段階で調整することが可能となる。
【００２８】
更に、本発明は、弦受け部材２３の回転操作に応じて弦１２の高さ調整を可能とする構成である限りにおいて、種々の設計変更を行うことができる。
【００２９】
【発明の効果】
以上説明したように、本発明は、弦受け部材の回転により当該弦受け部材の高さ調整可能な弦高調整手段を備えているから、ブリッジ部やサドルに加工を加えることなく、各弦毎に独立して高さ調整を容易に行うことができ、従来例に示されるような不都合を解消することが可能となる。
【００３０】
また、複数の弦を支持する複数のサドルを備え、各サドルが所定間隔を隔てて配置されるとともに、各弦に一つずつ設けられているから、圧電素子における各弦の音同士の干渉を少なくすることができ、音質を飛躍的に向上させることが可能となる。しかも、圧電素子をスイッチ装置等に接続した場合には、特定の弦の音だけを出力できるという優れた効果を得る。
【００３１】
更に、弦高調整手段は、ベース部材に設けられた第１のねじ部と、弦受け部材に形成されて第１のねじ部に螺合する第２のねじ部とにより構成されているから、サドル全体のコンパクト化を図ることができ、且つ、弦の高さ位置を安定的に維持することが可能となる。
【００３２】
また、弦受け部材における頂部の裏面に圧電素子を設けた場合には、弦と圧電素子との距離を短く設定することができ、これにより、弦の振動に対する圧電素子のレスポンスを向上させることが可能となる。
【００３３】
更に、弦受け部材の上面に弦を受容可能な溝を備えた構成としたから、張設された弦の位置をしっかりと保持することが可能となる。
【図面の簡単な説明】
【図１】  本実施例に係るピックアップ装置の概略斜視図。
【図２】  図１のＡ−Ａ矢視拡大断面図。
【図３】  図２の分解拡大断面図。
【図４】  従来例に係るピックアップ装置の概略斜視図。
【図５】  他の従来例に係るピックアップ装置の概略斜視図。
【図６】  更に他の従来例に係るピックアップ装置の概略斜視図。
【符号の説明】
１０・・・ピックアップ装置、１２・・・弦、１３・・・ブリッジ部、１４・・・サドル、２２・・・ベース部材、２３・・・弦受け部材、２４・・・弦高調整手段、２５・・・圧電素子、２８・・・雄ねじ部（第１のねじ部）、３１・・・頂部、３２・・・外筒部、３３・・・溝、３４・・・雌ねじ部（第２のねじ部）
【図１】
0003656609.tif 000002
【図２】
0003656609.tif 000003
【図３】
0003656609.tif 000004
【図４】
0003656609.tif 000005
【図５】
0003656609.tif 000006
【図６】
0003656609.tif 000007